(57)【要約】      （修正有）【課題】音響波検出器を用いた被検体情報取得装置において、信号の減衰を適切に補正する技術を提供する。【解決手段】被検体から伝搬した音響波１０２を受信して電気信号に変換する受信素子１０５を含む受信部と、電気信号に信号処理を行う処理部１１１と、処理部から出力された電気信号を用いて被検体内の特性情報を取得する構成部１１４を有し、処理部は、受信素子による信号取得時間に起因して生じる、受信部の受信周波数帯域に応じた感度の特性に基づいて、電気信号を音響波の強度に対応させる補正計算を行う被検体情報取得装置を用いる。【選択図】図１
2015092914.tif 000002
【特許請求の範囲】
【請求項１】
被検体から伝搬した音響波を受信して電気信号に変換する受信素子を含む受信部と、
前記電気信号に信号処理を行う処理部と、
前記処理部から出力された電気信号を用いて前記被検体内の特性情報を取得する構成部と、
を有し、
前記処理部は、前記受信素子による信号取得時間に起因して生じる、前記受信部の受信周波数帯域に応じた感度の特性に基づいて、前記電気信号を前記音響波の強度に対応させる補正計算を行う
ことを特徴とする被検体情報取得装置。
【請求項２】
前記受信部に測定光を入射させる第一の光源をさらに有し、
前記受信部は、
音響波の入射を受けると前記測定光の反射光量が変化する干渉膜と、
前記反射光を前記受信素子である撮像素子に露光することで、前記反射光量の時間変化を取得する撮像部と、を含み、
前記処理部は、前記信号取得時間である前記撮像素子の露光時間に起因して生じる、前記受信周波数帯域に応じた感度の特性に基づいて、前記補正計算を行う
ことを特徴とする請求項１に記載の被検体情報取得装置。
【請求項３】
前記受信部は、当該受信部が複数の異なる前記信号取得時間で前記音響波を受信するように制御を行う信号取得時間制御部を含み、
前記処理部は、複数の異なる前記信号取得時間で受信された前記音響波に由来する電気信号を用いて、前記補正計算を行う
ことを特徴とする請求項２に記載の被検体情報取得装置。
【請求項４】
前記受信部は、ファブリーペロー型探触子である
ことを特徴とする請求項２または３に記載の被検体情報取得装置。
【請求項５】
前記処理部は、前記受信部により変換された前記電気信号を示す関数と、前記露光時間を定義する関数を用いた逆フィルターにより真の信号波形を復元することによって、前記補正計算を行う
ことを特徴とする請求項２ないし４のいずれか１項に記載の被検体情報取得装置。
【請求項６】
前記処理部は、サンプリング定理に基づいて前記電気信号の信号補間を行う
ことを特徴とする請求項１ないし５のいずれか１項に記載の被検体情報取得装置。
【請求項７】
前記被検体に複数回にわたって光を照射する第二の光源と、
前記第二の光源からの光の照射に応じてトリガ信号を発生させるトリガ信号発生部と、をさらに有し、
前記受信部は、前記第二の光源から光を照射された前記被検体から伝搬する音響波を受信するものであり、かつ、複数回にわたって発生する前記トリガ信号に対して異なる遅延時間で音響波を受信する
ことを特徴とする請求項１ないし６のいずれか１項に記載の被検体情報取得装置。
【請求項８】
前記受信部は、圧電現象または容量変化を用いたトランスデューサーである
ことを特徴とする請求項１に記載の被検体情報取得装置。
【請求項９】
前記特性情報を表示する表示部をさらに有する
ことを特徴とする請求項１ないし８のいずれか１項に記載の被検体情報取得装置。
【請求項１０】
被検体から伝搬した音響波を受信して電気信号に変換する受信素子を含む受信部と、
前記電気信号に信号処理を行う処理部と、
を有し、
前記処理部は、前記受信素子による信号取得時間に起因して生じる、前記受信部の受信周波数帯域に応じた感度の特性に基づいて、前記電気信号を前記音響波の強度に対応させる補正計算を行う
ことを特徴とする音響波受信装置。
【発明の詳細な説明】
【技術分野】
【０００１】
本発明は、被検体情報取得装置および音響波受信装置に関する。
【背景技術】
【０００２】
近年では一般に、エックス線、超音波、ＭＲＩ（核磁気共鳴法）を用いたイメージング装置が医療分野で多く使われている。一方で、レーザーなどの光源から照射した光を生体などの被検体内に伝播させ、その伝播光等を検知することで生体内の情報を得る光イメージング装置の研究も、医療分野で積極的に進められている。このような光イメージング技術の一つとして、Ｐｈｏｔｏａｃｏｕｓｔｉｃ  Ｔｏｍｏｇｒａｐｈｙ（ＰＡＴ：光音響トモグラフィー）が提案されている。
【０００３】
ＰＡＴの技術においては、光源から発生したパルス光を被検体に照射し、被検体内で伝播・拡散した光のエネルギーを吸収した生体組織から発生した音響波（以降光音響波と呼ぶ）を複数の個所で検出して二次元の音圧分布を取得する。そして、それらの信号を解析処理し、被検体内部の光学特性値に関連した情報を可視化する。これにより、被検体内の光学特性値分布、特に光エネルギー吸収密度分布が得られる。
【０００４】
光音響波の検出器としては、圧電現象を用いたトランスデューサーや容量の変化を用いたトランスデューサーが挙げられる。さらに近年、光の共振を用いた検出器が開発されている。この検出器は、光音響波の音圧変化にともなって変化する光干渉膜の反射光を、フォトダイオードなどの光センサを用いて検知することで光音響波を検出する。この光干渉膜として、ファブリーペロー干渉膜などが用いられる。
光の共振を用いた検出器の特長として、広帯域の超音波を検出できることが挙げられる。この特長により、被検体内部の様々なスケールの構造を、一つの検出器でイメージングできる。
【０００５】
しかしながら、光干渉膜面をスキャンしながら光音響波を検出する方法では、多大な時間を要する。そこで近年、二次元面にアレイ化された光センサを用いて一括で光音響波を検出する方法が考案されている。例えば二次元アレイ型光センサとしてＣＣＤカメラを用いて光干渉膜の反射光量変化を検出するという報告例がある（非特許文献１）。
【０００６】
しかし、ＣＣＤカメラなどの二次元アレイ型光センサは、一回の撮像において複数の光素子への露光を行うため、単体のフォトダイオードによる検出方法などと比較して長い露光時間を要する。これにより本来の信号波形を正確に取得できないという問題が生じる。具体的には、信号を取得する際、本来の信号波形の周波数に依存した振幅の減衰、特に高周波数成分の振幅の減衰が起こる。その結果、被検体内部の微細な構造の画質が劣化し、光の共振を用いた光音響波検出器の特長である広帯域特性を損なうという問題がある。
【０００７】
信号波形の高周波成分の減衰を抑制するために、露光時間を短くする方法が考えられる。しかしこの方法では、取得総光量も減少するためＳ／Ｎ比が低下し、背景のノイズと被検体内部構造からの信号とのコントラストが低下することになる。
【０００８】
上記の問題は、圧電現象を用いたトランスデューサーや容量の変化を用いたトランスデューサーで光音響波または超音波を取得する場合にも同様に存在する。すなわち、上記の露光時間に相当するある信号取得時間で信号の取得を行う場合も、周波数に依存した信号振幅の減衰が起こる。
【０００９】
一方、画像のぼけを改善する技術として、カメラの画像処理の技術分野において、手ぶれによる画像のぼけを補正する技術が提案されている。例えば特許文献１では、露光時間の異なる複数の画像を取得して、それらの比較から二次元画像のぼけを定義する関数（点拡がり関数）を推測することで取得画像の画質改善をするという技術を開示している。
【先行技術文献】
【特許文献】
【００１０】
【特許文献１】特開２００６−１０１４４７号公報
【非特許文献】
【００１１】
【非特許文献１】M. Lamont, P. Beard, “2D imaging of ultrasound fields using CCD array to map output of Fabry-Perot polymer film sensor”, Electronics Letters, 42, 3, (2006)
【発明の概要】
【発明が解決しようとする課題】
【００１２】
非特許文献１に記載されている音響波受信装置では、露光時間に起因する信号波形の高周波成分の減衰を抑制する信号処理を行っていない。そのため、減衰が原因となって画像が劣化する可能性がある。
また、特許文献１の技術は空間的なぼけを補正する技術であり、音響信号の時間的な信号波形のぼけを補正するための技術としては適用できない。
【００１３】
このように、光の共振や圧電現象、容量変化などを利用した音響波検出器を用いて音響信号を取得する装置において、信号取得時間に起因する取得信号の周波数に依存した減衰を補正する技術が求められている。これにより、取得信号に基づき生成される画像の画質向上が可能になる。
【００１４】
本発明は上記課題に鑑みてなされたものであり、その目的は、音響波検出器を用いた被検体情報取得装置において、信号の減衰を適切に補正する技術を提供することにある。
【課題を解決するための手段】
【００１５】
本発明は、以下の構成を採用する。すなわち、
被検体から伝搬した音響波を受信して電気信号に変換する受信素子を含む受信部と、
前記電気信号に信号処理を行う処理部と、
前記処理部から出力された電気信号を用いて前記被検体内の特性情報を取得する構成部と、
を有し、
前記処理部は、前記受信素子による信号取得時間に起因して生じる、前記受信部の受信周波数帯域に応じた感度の特性に基づいて、前記電気信号を前記音響波の強度に対応させる補正計算を行う
ことを特徴とする被検体情報取得装置である。
【００１６】
本発明はまた、以下の構成を採用する。すなわち、
被検体から伝搬した音響波を受信して電気信号に変換する受信素子を含む受信部と、
前記電気信号に信号処理を行う処理部と、
を有し、
前記処理部は、前記受信素子による信号取得時間に起因して生じる、前記受信部の受信周波数帯域に応じた感度の特性に基づいて、前記電気信号を前記音響波の強度に対応させる補正計算を行う
ことを特徴とする音響波受信装置である。
【発明の効果】
【００１７】
本発明によれば、音響波検出器を用いた被検体情報取得装置において、信号の減衰を適切に補正する技術を提供できる。
【図面の簡単な説明】
【００１８】
【図１】イメージング装置の構成の一例を示す図
【図２】イメージング装置のフローチャートの一例を示す図
【図３】光の共振を用いた音響波検出器の構造の一例を示す図
【図４】光の共振を用いた音響波検出器の構造の一例を示す図
【図５】各部の同期信号と、入出力信号のタイミングチャートの一例を示した図
【図６】撮像部における露光タイミングチャートの一例を示した図
【図７】撮像部における露光タイミングチャートの一例を示した図
【図８】露光時間による取得信号の抑制効果についてのシミュレーション結果
【図９】信号処理部における信号処理方法の一例を正弦波信号に適用した結果
【図１０】イメージング装置の構成の一例を示す図
【図１１】イメージング装置のフローチャートの一例を示す図
【図１２】撮像部における露光タイミングチャートの一例を示した図
【図１３】異なる露光時間による取得信号の抑制効果の相違について示した図
【図１４】イメージング装置の構成の一例を示す図
【発明を実施するための形態】
【００１９】
以下に図面を参照しつつ、本発明の好適な実施の形態について説明する。ただし、以下に記載されている構成部品の寸法、材質、形状およびそれらの相対配置などは、発明が適用される装置の構成や各種条件により適宜変更されるべきものであり、この発明の範囲を以下の記載に限定する趣旨のものではない。
【００２０】
本発明の音響波受信装置は、被検体に光（電磁波）を照射し、光音響効果に従って被検体内で発生して伝搬した音響波を受信（検出）する。そして本発明の被検体情報取得装置は、その音響波の強度と測定した光学特性とを用いて被検体内の特性情報を取得する。本発明の音響波受信装置では特に、光音響波を受信する受信素子（探触子、トランスデューサー）としてファブリーペロー型のものを好適に利用できる。以下の記載においては取得した情報に基づき画像データを生成し表示するイメージング装置について説明する。ただし本発明は、必ずしも情報を表示する必要はない。
【００２１】
本発明において、音響波とは、音波、超音波、光音響波、光超音波と呼ばれる弾性波（疎密波）を含む。また音響信号とは、受信された音響波に由来する電気信号や、その電気信号に様々な処理を施したものを指し、アナログまたはデジタル信号や増幅処理などを施された信号を含む。光音響波に由来する音響信号を特に、光音響信号と呼ぶ場合がある。
【００２２】
光音響波から得られる特性情報は、光照射によって生じた音響波の初期音圧、初期音圧から導かれる光エネルギー吸収密度や吸収係数、組織を構成する物質の濃度等を反映している。組織を構成する物質は機能を反映することから、光音響特性分布は被検体の機能分布情報を表すと言える。物質の濃度とは例えば、酸化ヘモグロビン濃度や還元ヘモグロビン濃度、それらから求まる酸素飽和度である。また、生成された特性情報は、数値データ、被検体内の各位置の分布情報、または画像を表示するための画像データとして保存や利用されても良い。
【００２３】
なお、音響波受信装置が受信する対象は光音響波に限らない。例えば被検体に送信され、被検体内の部位で反射した反射波（超音波エコー）を受信することもできる。その場合
の被検体情報は、被検体内で音響インピーダンスの変化に関する情報を示す。光音響波を解析した場合は被検体の機能情報が得られるのに対し、超音波エコーの解析によれば被検体の形態情報が取得できる。
【００２４】
以下、図面を参照しつつ、本発明を詳細に説明する。なお、同一の構成要素には原則として同一の符号を付して、説明を省略する場合がある。本発明は音響波受信装置または被検体情報取得装置の作動方法、制御方法としても捉えられる。本発明はまた、作動方法や制御方法を情報処理装置等に実施させるプログラムとしても捉えられる。
【００２５】
本発明における音響信号受信素子とは、実施形態１および２においては撮像素子のことであり、実施形態３においては、圧電現象や容量変化を利用したトランスデューサーのことである。
また、信号取得時間とは、実施形態１および２においては撮像素子の露光時間のことであり、実施形態３においてはトランスデューサーによる音響信号を取得する時間である。
【００２６】
また、信号取得時間制御部とは、実施形態２における露光時間制御部のことである。また、第一の光源とは、実施形態１または２における光干渉膜への光照射を行う測定用光源のことであり、第二の光源とは実施形態１から３における被検体へ光を照射するための励起光源のことである。
また、トリガ信号発生部とは実施形態１から３における、フォトダイオードなどの光検知センサのことである。
【００２７】
［実施形態１］
（構成の説明）
初めに、図１を用いて本実施形態におけるイメージング装置の構成の概要を説明する。本実施形態のイメージング装置は励起光源１０４を備える。励起光源１０４は、励起光１０３を出射して被検体１０１に照射し、光音響波１０２を励起する。
被検体１０１が生体である場合には、生体内の腫瘍、血管など、被検体１０１の内部の光吸収体や、被検体１０１の表面の光吸収体を画像化できる。これら被検体１０１の内部もしくは表面における光吸収体が、光のエネルギーの一部を吸収することによって光音響波１０２が発生する。
【００２８】
イメージング装置は、光音響波１０２を検出するために、光干渉膜からなるファブリーペロー型探触子（ＦＰＩ）１０５を備える。ファブリーペロー型探触子１０５は、測定光１０６の反射光量変化を測定することにより、探触子面に印加された音圧を検出する。この測定光１０６は測定用光源１０７で生成される。本実施形態ではファブリーペロー型探触子が受信部に相当する。
【００２９】
装置はまた、ファブリーペロー型探触子１０５に入射した測定光１０６の反射光量を測定するための撮像部１０８を備える。
以下、図２のフローチャートを使って撮像部１０８から画像表示部１１５までの信号処理を述べる。同時に、これらの処理を行う構成要素について説明する。
【００３０】
（ステップＳ２０１）
撮像部１０８は、入射した反射光を一定時間の露光によって電気信号に変換する、二次元アレイ型光センサ１０９を備える。これにより得られた電気信号は、アナログデジタル変換や信号増幅を行われた後、信号処理部１１１に送られる。
なお、撮像部１０８における二次元アレイ型光センサ１０９への露光は、励起光源１０４からの励起光の発光にともなってフォトダイオード（ＰＤ）１１０から送信されるトリガ信号に同期して行われる。このとき露光時間は、二次元アレイ型光センサ１０９のシャ
ッター時間、または、測定用光源１０７からの測定光のパルス幅で決定される。
二次元アレイ型光センサ１０９にはＣＭＯＳセンサやＣＣＤセンサを使用できる。
【００３１】
（ステップＳ２０２）
信号処理部１１１の信号補間計算部１１２では、信号処理部におけるクロック周波数に合わせて、撮像部１０８で取得した信号に対する信号補間を行う。信号処理部は処理部に相当する。
さらに、信号補正計算部１１３では、撮像部１０８で取得された信号の露光時間に起因する抑制効果の帯域特性を考慮して、適切なフィルターによる計算処理を施すことで信号波形の補正を行う。これにより元の信号形状を復元できる。
【００３２】
（ステップＳ２０３）
その後、画像処理部１１４において、復元された信号を解析して画像再構成を行い、被検体１０１の光学特性値分布情報を算出する。このとき、必要に応じてノイズ除去やコントラスト調整など画像処理を行っても良い。画像処理部は構成部に相当する。
【００３３】
（ステップＳ２０４）
画像表示部１１５では算出された光学特性値分布情報を表示する。ただし実際に再構成画像を表示せずとも、画像データとしてメモリに記憶したり、外部に出力したりすることでも本発明の目的は達成できる。
【００３４】
図１に戻って構成要素の説明を続ける。
入射する測定光１０６はレンズ１１６で拡大され、ハーフミラー１１７を通過した後、ミラー１１８による反射を経て、ファブリーペロー型探触子１０５において反射する。その反射光１１９は、ミラー１１８およびハーフミラー１１７により反射して、二次元アレイ型光センサ１０９に入射する。これにより、ファブリーペロー型探触子１０５の面での反射強度分布が得られる。
【００３５】
測定光を導くための光学系は、ファブリーペロー型探触子１０５における反射光量を測定できるような構成であればよい。したがって、ハーフミラー１１７の代わりに偏光ミラーと波長板を用いる構成でも構わない。
【００３６】
（光の共振を用いた音響波検出器の構成及びメカニズム）
次に、本実施形態に用いられる光の共振を用いた音響波検出器の構成及びメカニズムと使用するデバイスの構造について詳説する。
【００３７】
図３は光の共振を用いた音響波検出器の略図である。この図に示すような、平行な反射板の間で光を共振させる構造をファブリーペロー型干渉計という。本発明において、このファブリーペロー型干渉計を利用した音響波検出器をファブリーペロー型探触子と呼ぶ。
【００３８】
ファブリーペロー型探触子は、厚みｄを持つ高分子膜３０４が、第１のミラー３０１と第２のミラー３０２で挟まれた構造をとる。第１のミラー３０１から入射光３０５を干渉計に照射する。このとき、反射光３０６の光量Ｉｒは式１の式１０１のようになる。
【数１】
2015092914.tif 000003
【００３９】
ここで、Ｉｉは入射光３０５の入射光量、Ｒは第１のミラー３０１と第２のミラー３０２の反射率、λ０は入射光３０５、および反射光３０６の波長、ｄはミラー間距離、ｎは高分子膜３０４の屈折率である。Φは二枚のミラー間を往復する際の位相差に相当し、式１０２で表せる。
【００４０】
ファブリーペロー型探触子に音響波３０７が入射すると、ミラー間距離ｄが変化する。これによってΦが変化した結果、反射率Ｉｒ／Ｉｉが変化する。反射光量Ｉｒの変化をフォトダイオード等の光センサで測定することにより、入射した音響波３０７を検出できる。検出した反射光量変化が大きいほど、入射した音響波３０７の強度は大きい。
【００４１】
また、ファブリーペロー型探触子では入射光３０５が当たっている位置のみの反射光量変化を測定しているため、入射光３０５のスポット領域が受信感度のある領域となる。
本実施形態では、ファブリーペロー型探触子の受信感度のある領域の二次元音圧分布を短時間で取得するために、二次元アレイ型光センサ１０９を用いる。
さらに、ファブリーペロー型探触子はＰＺＴを用いた探触子と比較して、音響波の受信周波数帯域が広い。そのため、本実施形態のようにファブリーペロー型探触子を用いることで分解能の高い高精細な画像を得ることが可能となる。
【００４２】
図４に、本実施形態におけるファブリーペロー型探触子の断面構造を説明する図を示す。第１のミラー４０１と第２のミラー４０２の材料としては誘電多層膜や金属膜を使用できる。
ミラーの間にはスペーサー膜４０４が存在する。スペーサー膜４０４の材料としては、弾性波がファブリーペロー型探触子に入射した際のひずみが大きいものが好ましい。例えば、パリレン、ＳＵ８、またはポリエチレンなどの有機高分子膜を好適に利用できる。ただし材料はこれに限らず、音波を受信したときに膜が変形するものであれば、無機膜でも構わない。
【００４３】
ファブリーペロー型探触子全体は保護膜４０３で保護されている。保護膜４０３としては例えば、パリレンなどの有機高分子膜や、ＳｉＯ２などの無機膜を薄膜形成した物が用いられる。
第２のミラー４０２が成膜される基板４０５には、ガラスやアクリルを使用できる。その際、基板４０５内での光の干渉による影響を減らすために、基板４０５は楔形であることが好ましい。さらに、基板４０５表面における光の反射を避けるために、ＡＲコート処理４０６を施すことが好ましい。
【００４４】
（各部の出力信号とタイミングチャート）
次に、二次元アレイ型光センサ１０９の露光タイミングと取得信号、信号処理部１１１
のクロックと処理後の信号について、図５を用いて説明する。
【００４５】
撮像部１０８の二次元アレイ型光センサ１０９では、フォトダイオード１１０で検知した信号５０１をトリガ信号として、露光タイミング信号５０２に従って、ファブリーペロー型探触子１０５からの反射光の露光を行う。そして、露光時間５０３で反射光の光エネルギーが光センサに蓄積され、電気信号へ変換された後、信号５０６として出力される。このとき取得される信号の波形５０４は、露光時間の有限性に起因して、周波数に依存した振幅の減衰を受けているため、真の信号波形５０５とは異なった波形になる。この露光時間に起因する取得信号波形への影響については後述する。
【００４６】
撮像部１０８から出力され信号処理部１１１に送られた信号は、信号補間計算部１１２における信号の補間計算と、信号補正計算部１１３における信号補正計算を施される。信号補間計算部１１２では、クロック信号５０７に合わせて信号の補間が行われる。信号補正計算部１１３は、撮像部１０８の露光時間に起因して発生する周波数依存の減衰を受けた信号を入力され、当該信号を補正する。本実施形態においては、信号補間計算と信号補正計算の順番は、どちらが先でも有効である。
【００４７】
以下、信号補間計算部１１２における計算方法を、式２（式２０１〜式２０３）を用いて説明する。なお、信号補正計算の方法については後述する。信号補間方法としては、サンプリング定理から導出した連続関数に基づいた信号補間や線形補間、その他の非線形補間などを適用できる。ここでサンプリング定理とは、式２０１によって示されるような、離散的なサンプル値Ｆｌから連続変数θ（本実施形態においては時間に相当）に依存した連続関数Ｆ（θ）を復元する定理である。
【数２】
2015092914.tif 000004
【００４８】
ここで、式２０１のＦ（θ）として、周期２πの関数を仮定している。また式２０１のφＮは、式２０２で計算される値である。サンプル値Ｆｌは式２０３のθｌにおける値で、サンプリングは周期２πのうちにＮ回行う場合としている。
【００４９】
具体的な信号の補間処理の手順としては次のように行う。まず、撮像部１０８から信号処理部１１１に入力された離散的な信号Ｆｌ（取得時刻θｌにおける信号）から、式２０１を用いて連続関数Ｆ（θ）を求める。その後、求めた連続関数から信号処理部のクロック周波数（図５の５０７）の時刻における信号振幅を求めることで、信号補間を行う。
【００５０】
ただし信号を完全に再現するためには、サンプル値Ｆｌは、元の連続信号が含む最大周波数の二倍よりも高い周波数で取得する必要がある。本実施形態においてサンプリング定理を用いた信号補間を行う場合、露光タイミング信号５０２は、ファブリーペロー型探触子１０５が十分な強度で検知できる最大の周波数の二倍よりも高い周波数に設定しておく
。
【００５１】
なお、式２には周期２πの周期関数の場合の式を示したが、一般的な関数への拡張は可能である。
また、上記の説明では、撮像部１０８からの信号処理部１１１に入力された信号に対して補間計算を行う場合について述べた。ただし、信号処理部において信号補正計算を先に行ってもよい。その場合、信号補間を行うサンプル値Ｆｌは信号補正を行ったあとの離散的な信号となるが、信号補間の手順としては同様に行うことができる。
【００５２】
信号処理部１１１で信号補間と信号補正を行った信号が、図５の５０８である。ここで、５０５は先述の撮像部１０８で受信する元の信号波形であり、５０４は撮像部から出力される波形である。つまり、信号処理部１１１から出力される信号５０８は元の信号波形を復元した信号となっている。この信号が画像処理部１１４に入力される。
【００５３】
なおここでは、信号処理部におけるクロック信号５０７の周波数が、二次元アレイ型光センサの露光タイミング信号５０２の周波数よりも高いものとした。しかし実際には、クロック周波数と露光の周波数が同等であってもよい。ただしその場合は信号の補間は行われない。
また、ここでは撮像部で受信される信号５０４を正弦波形状のものとしたが、任意形状の波形にも適用可能である。また、上記の説明では撮像部１０８における音響波の信号取得を一回の露光シーケンスで行う場合を示した。しかし、信号取得を複数回の露光シーケンスに分割して行う方法でもよい。
【００５４】
図６に、励起光源１０４から複数回にわたってパルス光を発生することで被検体内の同一の構造からの光音響波を複数回発生させる場合のタイミングチャートを示す。このとき、複数回の露光タイミング信号のそれぞれに続く一連のシーケンスを少しずつずらすことで、複数回に分割された信号取得を行える。
【００５５】
まず、一回目の励起光源の発光に伴うトリガ信号６０１に同期して、一回目の露光タイミング信号６０２で信号取得を行う。次に二回目の励起光源の発光に伴うトリガ信号６０３に同期して、二回目の露光タイミング信号６０４で信号取得を行う。
このとき、二回目のトリガ信号６０３に対する露光タイミング６０４の遅延時間は、一回目のトリガ信号６０１に対する露光タイミング６０２の遅延時間よりも時間間隔６０５の分だけ相対的に遅らせる。同様に、三回目のトリガ信号６０６に対する露光タイミング６０７の遅延時間は、二回目のトリガ信号６０３に対する露光タイミング６０４の遅延時間よりも時間間隔６０５の分だけ相対的に遅らせる。
【００５６】
上記の結果、露光タイミング６０２、６０４、６０７で得られる光音響信号がそれぞれ６０９、６１０、６１１などである。このようにして、露光タイミングのトリガ信号に対する遅延時間を少しずつずらしながら複数回にわたって信号取得することで、被検体内部の同一構造からの光音響信号を高い周波数で取得できることになる。このようにして撮像部１０８で複数回の露光シーケンスで取得された信号は撮像部１０８内または外部の記憶手段などに格納されたのちに一つの光音響信号として複合され、信号処理部１１１に入力される。
上記のような方法で撮像部１０８による信号取得を行っても、図５を用いて説明した本実施形態の信号処理のプロセスは適用できる。
【００５７】
（露光時間が取得波形に与える影響）
次に、二次元アレイ型光センサ１０９の露光プロセスが、取得する信号に与える影響について、図７と式３（式３０１〜式３０４）を用いて説明する。図７は二次元アレイ型光
センサの露光による信号取得を説明する図である。
撮像部１０８では、露光タイミング７０１に従って露光時間２Ｗで中心時刻（ｔ１，ｔ２，…，ｔｉ，…）において順次露光を行い、反射光量の時間変化である波形Ｆ（ｔ）（図７の符号７０２）の取得を行う。
【００５８】
式３の式３０１は、時刻ｔｉに二次元アレイ型光センサで取得される光エネルギーＱ（ｔｉ）を示す。また関数Ｗ（ｔ）は式３０３で定義される関数であり、露光時間で１、それ以外の時間で０となる。
【数３】
2015092914.tif 000005
【００５９】
式３０１から、Ｑ（ｔ）はＦ（ｔ）とＷ（ｔ）のコンボリューション（たたみ込み積分）となる。したがって式３０２に示すように、Ｑ（ｔ）をフーリエ変換した関数ｑ（ω）は、Ｗ（ｔ）とＦ（ｔ）をそれぞれフーリエ変換した関数ｗ（ω）、ｆ（ω）の積となる。ここでωは角周波数であり、Ｗ（ｔ）をフーリエ変換した関数ｗ（ω）は式３０４に示す式となる。
【００６０】
したがって、式３０２が示すように、撮像部１０８で取得される信号のフーリエ変換ｑ（ω）は、真の信号波形のフーリエ変換ｆ（ω）に対して関数ｗ（ω）を乗じた分の周波数に依存した変更を受けることが分かる。
さらに、関数ｗ（ω）はローパスフィルターと同様の効果を持つ関数であるため、取得信号Ｑ（ｔ）は真の信号Ｆ（ｔ）の高周波成分の強度振幅を抑制したものとなる。
【００６１】
図８に、周波数に依存した信号強度の抑制効果を示したシミュレーション結果を示す。横軸は周波数である。また縦軸は、式４（式４０１）に示すような、真の信号ｆ（ω）に対する撮像部の取得信号ｑ（ω）の割合の絶対値を露光時間２Ｗで規格化した値である。
【数４】
2015092914.tif 000006
【００６２】
また、三種類のプロットは露光時間の相違による抑制効果の相違を示している。８０１、８０２、８０３はそれぞれ露光時間３００ｎｓ、５０ｎｓ、５ｎｓの場合を示している
。この図より、露光時間が長くなるにつれ、より低周波数の成分も振幅の抑制を受けることがわかる。
【００６３】
したがって、露光の短時間化によって抑制効果を受けにくくすることが可能だと考えられる。ただし露光が短いと、二次元アレイ型光センサで蓄積する光エネルギー量が減少するため、取得信号強度が小さくなりＳ／Ｎ比が低下してしまう。そのため、短い露光時間を実現するためには、高出力の超短パルスレーザーの開発や、高感度で超短時間露光が可能な二次元アレイ型センサの開発などの困難な技術的課題の克服が必要となる。そこで、より簡便な方法によって、光量を確保するためにある程度長い露光時間であっても本来の信号を取得できる光音響受信装置を提案することが課題となる。
【００６４】
（信号復元方法と復元フィルター）
そこで、本実施形態における抑制された信号の復元方法について、式５（式５０１〜式５０４）を見ながら説明する。はじめに逆フィルターによる信号復元方法の概要を説明する。
【００６５】
前述のように、式３の取得信号Ｑ（ｔｉ）と、露光時間を定義する関数Ｗ（ｔｉ）、真の撮像部に入力される真の信号波形Ｆ（ｔｉ）のそれぞれのフーリエ変換関数、ｑ（ωｊ）、ｗ（ωｊ）、ｆ（ωｊ）は式３０２の関係がある。したがって、ｆ（ωｊ）は、式５の式５０１で計算できる。そのため、式５０２に示すように逆フーリエ変換をおこなうことで、真の信号波形Ｆ（ｔ）を復元できる。
この方法による信号復元方法を、逆フィルターによる信号復元と呼ぶ。ここで添え字ｊを用いて周波数成分を離散的に記述した理由は、実際の信号処理においては有限の時間区間で切り取ったデータを使用するためである。
【数５】
2015092914.tif 000007
【００６６】
しかしながら，実際に上記の計算を行う場合，ｗ（ω）はある角周波数においてゼロになるため、式５０２で逆フーリエ変換を行う際に、式５０１の被変換関数がその角周波数において発散してしまうという問題がある。また、実際には検出する音響信号の強度が十分確保される周波数領域は限定されている。
【００６７】
そのため本実施形態においては、計算する周波数領域を音響信号の強度が十分な領域でかつｗ（ω）がゼロにならない領域に限定して逆フィルターをかける方法を用いてもよい。例えば、ある周波数領域ω１＜ω＜ω２において逆フィルターを用いた信号復元を行う場合、式５０３に示す計算を行う。
【００６８】
また、他の信号復元方法としてウィーナーフィルターを用いた方法でもよい。式５０４に、ウィーナーフィルターを用いる場合の被変換関数を示した。ここで、Γはノイズとシグナルによって決定されるパラメータである。
【００６９】
具体的な信号処理部１１１の信号補正計算部１１３における信号補正手順は次のようになる。まず、撮像部１０８から信号処理部１１１に入力された離散的な信号Ｑ（ｔｉ）（時刻ｔｉにおける取得信号）をフーリエ変換し、関数ｑ（ωｊ）を求める。その後、式５０１から真の信号Ｆ（ｔｉ）のフーリエ変換であるｆ（ωｊ）を求める。ここで、ｗ（ωｊ）は露光時間を定義する関数Ｗ（ｔｉ）をフーリエ変換した関数である。
【００７０】
さらに、逆フーリエ変換、式５０２または式５０３を用いて真の信号Ｆ（ｔｉ）を求める。ここで信号補間計算を信号補正よりも先に行う場合は、信号Ｑ（ｔｉ）として信号補間がおこなわれた後の信号を用いる。信号補正計算で真の信号Ｆ（ｔｉ）を求めた後、信号補間を行う場合はこれを入力値として信号補間計算を行い、信号補間計算をすでに行っている場合はこれを画像処理部１１４の入力値とする。なお、フーリエ逆変換の式、式５０２または式５０３の被変換関数として、前述のようにウィーナーフィルターを施した式５０４のｆ（ω）を用いてもよい。
【００７１】
上記で説明した信号処理部１１１で行う信号補間と信号復元を、音響信号が周波数の異なる正弦波の和で表された波形とした場合に適用した計算例を図９に示す。ただし、ここでは説明の簡便化のためノイズが存在しない場合の計算例を示している。ノイズが存在する場合でも基本的な計算方法は同様に適用することができる。ここで、音響信号波形Ｙ（φ）として、Ｙ（φ）＝Ｓｉｎ（φ）＋Ｓｉｎ（３φ）＋Ｓｉｎ（５φ）を仮定する。
【００７２】
図９（ａ）は、撮像部１０８で取得した信号と、真の音響信号の波形を示している。図９（ｂ）は、真の音響信号波形と補間した信号を示している。ここで、撮像部での露光時間２Ｗを２π／７とし、露光サンプリング周期を２π／１２とした。また、信号補間を行う信号処理部１１１のクロック周期は２π／５０とした。この場合、露光時間が露光サンプリング周期よりも長いが、図６を用いて説明したように光音響波を複数回発生し、露光タイミングをずらしながら信号取得をする方法で実現可能である。
【００７３】
図９（ａ）と図９（ｂ）の比較から、信号補間によって信号がより滑らかになっていることが分かる。しかしながら、図９（ｂ）が示すように、撮像部で露光される際に信号波形が周波数に依存した振幅の抑制を受けるため、補間信号は真の信号波形と形状が異なっている。特に、高周波になるにつれて振幅の抑制が大きくなるため、真の音響信号波形がなまった形状となっている。そのため、前述の逆フィルターによる信号復元計算を行うことが必要となる。
【００７４】
図９（ｃ）は補間信号に信号復元計算を行った結果を示している。この図から、復元計算を行った信号は、それぞれの周波数成分が適切な振幅を回復したことで、真の信号波形と同形状になっていることが分かる。ここでは、正弦波の和で表現された波形についての信号復元計算の例を示した。しかし、実際の光音響波などの一般的な信号波形についても同様の計算を行って信号復元をすることが可能である。
【００７５】
（好ましい構成）
次に、上記に説明した本実施形態における音響波受信装置およびイメージング装置の好ましい構成について述べる。
ファブリーペロー型探触子１０５の反射光量を測定するための測定光１０６を出射する測定用光源１０７には、波長可変レーザーを好適に使用できる。測定光１０６は、第１のミラー３０１と第２のミラー３０２に対して、反射率が９０％以上であることが好ましい。また、測定光１０６の波長はファブリーペロー型探触子の感度が最大になる最適波長を用いることが好ましい。
【００７６】
被検体１０１へ照射する励起光１０３は、被検体１０１を構成する成分のうち特定の成分に吸収される特性の波長の光を用いる。励起光１０３としては、パルス光が好適である。パルス光は、数ピコから数百ナノ秒オーダーのものであり、被検体が生体の場合には数ナノから数十ナノ秒のパルス光を採用することが好ましい。
【００７７】
励起光１０３を発生する励起光源１０４としてはレーザーが好ましい。ただし発光ダイオードやフラッシュランプなどを用いても良い。レーザーとしては、例えば、固体レーザー、ガスレーザー、色素レーザー、半導体レーザーなどを使用できる。発振する波長の変換可能な色素やＯＰＯ（Ｏｐｔｉｃａｌ  Ｐａｒａｍｅｔｒｉｃ  Ｏｓｃｉｌｌａｔｏｒｓ）を用いれば、光学特性値分布の波長による違いを測定可能になる。
使用する光源の波長に関しては、生体内において吸収が少ない７００ｎｍから１１００ｎｍの領域が好ましい。しかし上記の波長領域よりも範囲の広い、例えば４００ｎｍから１６００ｎｍの波長領域、さらにはテラヘルツ波、マイクロ波、ラジオ波領域の使用も可能である。
【００７８】
図１では被検体に対して、ファブリーペロー型探触子１０５の影にならない方向から励起光１０３を照射している。しかし、励起光１０３としてファブリーペロー型探触子１０５のミラーを透過する波長を用いることにより、ファブリーペロー型探触子１０５側から励起光１０３を照射することも可能である。
【００７９】
被検体１０１から生じる光音響波１０２を効率的にファブリーペロー型探触子１０５で検出するために、被検体１０１とファブリーペロー型探触子１０５との間には音響結合媒体を使うことが望ましい。図１では音響結合媒体として水を用いて、水槽１２０中に被検体１０１を配置した様子を示している。しかし音響結合媒体はこれに限らない。例えば、被検体１０１とファブリーペロー型探触子１０５との間に、音響インピーダンスマッチングジェルを塗る構成にしてもよい。
【００８０】
被検体１０１に励起光１０３を照射すると、励起光１０３のエネルギーの一部を吸収した被検体内から、光音響波１０２が発生する。この光音響波１０２は、ファブリーペロー型探触子１０５において反射光１１９の光量変化として検出され、二次元アレイ型光センサ１０９において電気信号に変換される。二次元アレイ型光センサ１０９における電気信号の分布は、ファブリーペロー型探触子１０５において測定光１０６が照射されている領域上に届く光音響波１０２の強度分布を表している。
これにより、ファブリーペロー型探触子１０５において、測定光１０６が照射されている領域上に到達する光音響波１０２の圧力分布を取得できる。
【００８１】
得られた電気信号の分布から光学特性値分布を得るための再構成アルゴリズムとしては、ユニバーサルバックプロジェクションや整相加算などを採用できる。なお素子に異物が存在するなどで膜厚が著しく異常を示す領域はから得られたデータは、再構成に利用しないことが好ましい。そこで、このようなデータ欠損部に関しては、画像再構成処理の際に補正することも可能である。
【００８２】
なお、励起光１０３として複数の波長の光を用いた場合は、それぞれの波長に関して、生体内の光学係数を算出し、それらの値と生体組織を構成する物質（グルコース、コラーゲン、酸化・還元ヘモグロビンなど）固有の波長依存性とを比較する。これによって、生体を構成する物質の濃度分布を画像化できる。
【００８３】
上記の実施形態１に示されたイメージング装置を用いることで、撮像部への露光時間に起因する誤った信号受信による画質劣化を防止でき、より正確な被検体内部の光学特性値分布を取得できる。
【００８４】
［実施形態２］
本実施形態のイメージング装置と実施形態１のイメージング装置との主な相違点は、実施形態１における撮像部１０８および信号処理部１１１の構成、撮像部１０８における露光方法、および、信号処理部における信号復元方法である。その他の構成および制御方法については実施形態１と同様であるため、以下の記載では上記の相違点を中心として説明する。
【００８５】
（構成）
本実施形態のイメージング装置について、構成図１０と、信号処理の流れを示すフローチャート図１１を用いて説明する。本実施形態と実施形態１との構成上の相違は撮像部１００８と信号処理部１０１１であるため、その他の構成についてはここでは詳細説明を省略する。
【００８６】
（ステップＳ１１０１）
本実施形態での撮像部１００８は、二次元アレイ型光センサ１００９への露光時間を制御する露光時間制御部１０１０を備える。露光時間制御部１０１０では、二種類以上の露光時間で露光を行い、信号取得ができるように制御する。撮像部で二種類以上の露光時間で取得された信号は、実施形態１と同様にアナログデジタル変換と信号増幅を行われた後、信号処理部１０１１に出力される。
【００８７】
（ステップＳ１１０２）
信号処理部１０１１では、取得した信号のクロック周波数に合わせた補間と、それらを用いた信号復元を行う。ここでの具体的な信号復元の方法については後述する。
【００８８】
（ステップＳ１１０３−Ｓ１１０４）
信号復元の後の処理の流れは、実施形態１と同様である。すなわち、画像処理部１０１４で画像再構成、画像処理を行い、画像表示部１０１５で算出された光学特性値分布情報を表示する。
【００８９】
（露光のタイミングチャート）
次に、撮像部１００８において二種類以上の露光時間での露光を行う方法について、図１２を用いて説明する。本実施形態では、二種類以上の露光時間で露光を行うために、複数回に渡って励起光源１００４からの発光を行い、被検体１００１からの光音響波１００２を発生させる。
【００９０】
図１２において、トリガ信号１２０１は一回目の励起光源１００４のパルス光発光に伴うトリガ信号であり、それに同期した露光タイミング信号１２０２に従って、撮像部１００８で露光がおこなわれる。このとき露光時間制御部１０１０は、露光時間が１２０３で示した時間になるように制御する。
同様に、二回目の励起光源の発光に伴ってトリガ信号１２０４が出力され、これに同期
して二回目の露光タイミング信号１２０５に従って露光がおこなわれる。このとき露光時間制御部１０１０は、一回目の露光とは異なる露光時間１２０６になるよう制御を行う。
三種類以上の露光時間での露光を行う場合も同様の方法で順次行われる。このようにして二種類以上の露光時間での露光を行い、信号取得を行う。
【００９１】
（信号復元方法）
次に、信号処理部１０１１において二種類以上の露光時間で取得した信号を用いて信号復元を行う理由とその方法について説明する。なお、信号補間計算部１０１２による、信号処理部１０１１のクロック周波数に合わせた信号補間計算方法は実施形態１に記載したものと同様なので、説明を省略する。また、信号補正計算部１０１３では、帯域特性などを考慮した適切なフィルターを用いた補正を行う。
【００９２】
実施形態１に記載したように、信号処理部で信号復元計算を行う際、式５０１の分母であるｗ（ω）がゼロになる周波数については値が発散するため、計算領域から除外する必要がある。また、除外する周波数の近傍においても取得信号の抑制効果が強いため信号強度が小さくなり、信号に含まれるノイズの影響が相対的に増大し、信号復元が適切に行えないことがある。そのため、ｗ（ω）がゼロになる周波数の近傍領域も、信号復元の際に計算領域から除外する必要がある。
【００９３】
これら除外処理の結果、真の信号のフーリエ変換ｆ（ω）が十分強度のある周波数領域が上記の除外した周波数領域と重なる場合、除外された周波数成分が復元されない場合がある。これでは真の信号の復元が適切に行えないおそれがある。
そこで本実施形態では、二種類以上の露光時間で取得した信号を組み合わせて信号復元を行うことでこの課題を解決する。
【００９４】
図１３は５０ｎｓ、７５ｎｓの露光時間で信号取得を行った場合について、取得信号の振幅の真の信号の振幅に対する割合を図８と同様にシミュレーションし、周波数を横軸にプロットしたものである。縦軸は式４で示した値である。
【００９５】
図１３から、二種類の異なる露光時間で取得された信号の振幅がゼロになる最も低い周波数ａ１、ｂ１は、互いに異なる値を取ることが分かる。このことを利用すれば、計算領域から除外する周波数と、信号復元に利用する周波数を、適切に選択できる。例えば図１３においては、取得信号の振幅の真の信号に対する割合が大きくなる方の信号を用いて信号復元を行うことで、すべての周波数領域で計算を実行できる。
【００９６】
具体的には、図１３に示すように、二種類の露光時間の曲線の交点の周波数ｆａ、ｆｂと、計算領域の最大周波数ｆｍａｘを境界として、それぞれの信号を用いる周波数領域を分割できる。つまり露光時間５０ｎｓの値が大きくなる周波数領域１３０１では、露光時間５０ｎｓで取得した信号を信号復元の計算に利用し、逆に露光時間７５ｎｓの値が大きくなる周波数領域１３０２では、露光時間７５ｎｓで取得した信号を計算に用いる。具体的な計算方法を式６（式６０１〜式６０５）に示した。
【数６】
2015092914.tif 000008
【００９７】
式６０１は周波数と角周波数の関係である。
式６０２は上記の二種類の露光時間で取得した信号を用いる領域を角周波数で表した式である。ここで、ｆａはωａに、ｆｂはωｂに、ｆｍａｘはωｍａｘに対応している。
【００９８】
式６０３は式６０２で示した各々の領域において定義される真の信号Ｆ（ｔ）のフーリエ変換ｆ（ω）を示している。ｑ１（ω）は撮像部１００８において露光時間５０ｎｓで取得された信号のフーリエ変換関数であり、ｗ１（ω）は露光時間５０ｎｓの場合の露光時間を定義する関数Ｗ（ｔ）のフーリエ変換である。同様に、ｑ２（ω）は露光時間７５ｎｓで取得された信号のフーリエ変換関数であり、ｗ２（ω）は露光時間７５ｎｓの場合の露光時間を定義する関数Ｗ（ｔ）のフーリエ変換である。
このようにｆ（ω）を二種類の露光時間で取得した信号を用いることにより、ωｍａｘ以下のすべての角周波数領域でｆ（ω）を定義できる。
【００９９】
式６０４、式６０５で、式６０３で定義された関数ｆ（ω）を逆フーリエ変換することで、実施形態１と同様に真の信号Ｆ（ｔ）を復元できる。ここでは本実施形態に適用できる逆フィルターによる信号復元の計算方法を示した。しかし、実施形態１と同様にウィーナーフィルターを用いた方法を用いてもよい。
【０１００】
なお、信号復元の際に用いる信号の周波数領域の分割方法は、必ずしも図１３で説明した場合に限らない。すなわち、少なくともある露光時間のｗ（ω）がゼロになる周波数を含む領域に関しては、それとは異なる露光時間による信号を用いるという方法で分割すれば良い。
また、上記の例では二種類の露光時間で取得した信号を用いる例を示したが、三種類以上であっても同様の方法を適用できる。
【０１０１】
上記の実施形態２に示されたイメージング装置を用いることで、露光時間に依存した特定の周波数領域の音響信号からの情報が欠如することがないため、より正確な被検体内部の光学特性値分布を取得できる。
【０１０２】
［実施形態３］
本実施形態では、音響信号を取得するために、実施形態１のようにファブリーペロー干渉膜を用いる代わりに、圧電現象や容量変化を利用したトランスデューサーを用いる。
図１４を用いて、本実施形態の構成を説明する。本実施形態のイメージング装置は、実施形態１と同様に、励起光源１４０４を備える。励起光源１４０４は、励起光１４０３を出射して被検体１４０１に照射し、光音響波１４０２を励起する。
【０１０３】
本実施形態の実施形態１との相違は、実施形態１ではファブリーペロー干渉膜の反射光を二次元アレイ型光センサで検知して音響波を取得するのに対し、本実施形態では音響波検出器１４０６のトランスデューサー１４０７で音響信号を取得する点にある。従って、実施形態１に備えられていた二次元アレイ型光センサに反射光を導くための光学系は、本実施形態には存在しない。
【０１０４】
トランスデューサー１４０７には、圧電現象を用いたＰＺＴ（Ｌｅａｄ  Ｚｉｒｃｏｎａｔｅ  Ｔｉｔａｎａｔｅ）型トランスデューサーを採用できる。あるいは、容量変化を用いたｃＭＵＴ（Ｃａｐａｃｉｔｉｖｅ  Ｍｉｃｒｏ−ｍａｃｈｉｎｅｄ  Ｕｌｔｒａｓｏｎｉｃ  Ｔｒａｎｓｄｕｃｅｒｓ）を採用できる。後述する処理を実現できるものであれば、その他のトランスデューサーであっても良い。
【０１０５】
フォトダイオード（ＰＤ）１４０５は、励起光源１４０４の発光に合わせてトリガ信号を発生し、トランスデューサー１４０７に送信する。トランスデューサー１４０７は、そのトリガ信号に同期した信号取得タイミングチャートに基づいて信号取得を行う。
【０１０６】
ここで、トランスデューサー１４０７は、実施形態１の二次元アレイ型光センサの露光時間と同様の信号取得時間を有しているため、これに起因した周波数に依存した信号の減衰が発生する。従って本実施形態においても、取得信号の減衰を復元する処理が必要となる。そのために、音響波検出器１４０６で取得されたのちアナログデジタル変換や増幅を施された取得信号に対し、信号処理部１４０８は実施形態１と同様に信号補間と信号補正を行う。ここで、信号補間計算部１４１０の補間計算や信号補正計算部１４０９での補正計算は実施形態１と同様なので、詳細は省略する。
【０１０７】
その後、画像処理部１４１１において、復元された信号を解析して、被検体１４０１の光学特性値分布情報を算出する。画像表示部１４１２では算出された光学特性値分布情報を表示する。
【０１０８】
なお、実施形態２に示したような、トランスデューサー１４０７において複数の音響信号取得時間で信号を取得し、それらの信号を用いて信号復元を行う方法を、本実施形態に適用することも可能である。
【０１０９】
上記の実施形態３に示されたイメージング装置を用いることで、圧電現象や容量変化を利用したトランスデューサーを用いた場合でも、信号取得時間に起因する信号減衰を復元して、より正確な被検体内部の光学特性値分布を取得することが可能になる。
【０１１０】
本明細書中で記載された音響波受信装置やイメージング装置は、被検体内の光学特性値分布及び、それらの情報から得られる生体組織を構成する物質の濃度分布を画像化する、医療用画像診断機器として利用可能である。これにより、例えば被検体として生体物質を用いる場合、腫瘍や血管疾患などの診断や化学治療の経過観察などを行える。
本発明はまた、被検体として非生体物質を対象とした非破壊検査などにも応用できる。以上より、本発明は広く検査装置として利用可能である。
【符号の説明】
【０１１１】
１０５：ファブリーペロー型探触子，１０８：撮像部，１０９：二次元アレイ型光センサ，１１１：信号処理部，１１３：信号補正計算部，１１４：画像処理部
【図１】
2015092914.tif 000009
【図２】
2015092914.tif 000010
【図３】
2015092914.tif 000011
【図４】
2015092914.tif 000012
【図５】
2015092914.tif 000013
【図６】
2015092914.tif 000014
【図７】
2015092914.tif 000015
【図８】
2015092914.tif 000016
【図９】
2015092914.tif 000017
【図１０】
2015092914.tif 000018
【図１１】
2015092914.tif 000019
【図１２】
2015092914.tif 000020
【図１３】
2015092914.tif 000021
【図１４】
2015092914.tif 000022